(57)【要約】      （修正有）【課題】  真空ポンプと空気圧縮器を用いて循環条件を設定するその後は動力を使用しないで連続的に水を循環させる。【解決手段】貯水槽１の外側に水槽６を設け、貯水槽１の両側に加圧水槽２、３を備え、加圧水槽２と水槽６とを水導入管１０で接続する。真空タンク７と真空タンク８の作用で加圧水槽２の水は上昇管１１より貯水槽１に揚水すると共に、真空タンク７，８には真空作用が発生して貯水槽１に揚水した水は真空タンク７，８に揚水する。９ａを開けると真空タンク８の水は降水管１４より加圧水槽３に降水させる。この作用で加圧水槽３の真空作用点が上昇して加圧水槽３の水は上昇管１５より水槽６に揚水して装置内の水は動力を使用しないで連続的に水は循環する。水導入管１０に設けた水車３９を回転させて発電を行う。【選択図】図３
2007247637.tif 000002
【特許請求の範囲】
【請求項１】
高さ２２ｍの貯水槽１の外側に高さ２０ｍから３ｍの間に水槽６を設け、貯水槽１と水槽６に揚水する水位を制御する検知器２ｂ、４ｂを設け、貯水槽１の両側に高さ５ｍと１０ｍの位置に加圧水槽２，３を備え、高さ５ｍの加圧水槽２，３の下部２，５ｍに設けた仕切板２１、２２より内部管２６，２８を立ち上げ、所要高さ位置より垂下する給水層４，５と加圧水槽２，３とを連通管２０，１８で接続する。加圧水槽２と貯水槽１を連通管９で接続し、加圧水槽３々水槽６とを連通管１６で接続させる。加圧水槽２，３の天板を貫通して上下に上昇管１１，１５が延びている。上昇管１１は上方に立ち上げ、水槽６と貯水槽１を貫通して２１，８ｍに位置し、下方には４ｍ垂下している。上昇管１５は上方に延びて水槽６を貫通して１８，５ｍに位置し、下方には加圧水槽内に４ｍ垂下している。上昇管１１，１５に接続する均圧管２７，２９は内部管２６，２８内に立ち上げ、均圧管２７，２９に接続する連通管１９，１７は加圧水槽２，３を貫通して給水層４，５に接続させ、給水弁１ａより給水を受けた給水層４の水は連通管２０より加圧水槽２に流れて貯水槽１と上昇管１１の水位は１６ｍになる。給水弁２ａより給水を受けた給水層５の水は連通管１８より加圧水槽３に流れて水槽６と上昇管１５の水位は１７ｍになる。加圧水槽２、３に＋０，１気圧以上の窒素ガスを封入して真空層３５をー０，７気圧に設定して加圧水槽２の水を上昇管１１より揚水させる。高さ２４ｍ位置に高さ１，５ｍの真空タンク７を設け、真空タンク７の天板より内部管２４を垂下させ、床面に接続する内部管２３を０，５ｍの間隔を隔てて貯水槽１の天板を貫通して１１ｍ垂下させ、真空タンク７の床面を貫通して上下に内部管２３内に上昇管１２が延びている。加圧層３４に＋０、１気圧の窒素ガスを供給し、真空層３０、３１をー０，８気圧に設定し、加圧層３４の水を上昇管１２より真空タンク７に揚水させる。高さ２３ｍに位置する高さ２ｍの円形状の真空タンク８を真空タンク７の外周に設け、真空タンク８の天板より内部管２５を垂下させ、真空タンク８をー０，７気圧に設定して真空タンク７の床面に接続する上昇管１３より真空タンク８に揚水させる。真空タンク８の床面に接続する降水管１４を垂下させて加圧水槽３に接続する。揚水する水は給水弁１ａより補給する。真空タンク８に所定の水が揚水すると開閉弁６ａが閉じ、真空弁２３ａより給水層４を−０，１気圧の真空度に設定し、給水弁１ａを閉じ、開閉弁７ａを開けて真空引きする空間に加圧水槽２の水を揚水させる。真空層３６をー０，５気圧に設定して加圧水槽３の水を上昇管１５より揚水させる。揚水する水は給水弁２ａより補給する。所定の水位になると開閉弁１０ａが閉じ、真空弁２４ａより給水層５を−０，２気圧の真空度に設定して開閉弁１１ａを開け、給水弁２ａを閉じて真空引きする空間に加圧水槽３の水を真空層３６に揚水させる。開閉弁３ａ，４ａ、を開放すると真空層３６の水は水導入管１０より加圧水槽２に流れる。この作用で加圧水槽２の真空作用点が上昇して加圧水槽２の水は真空層３５に揚水する。真空作用点の上昇で真空タンク７，８は順次真空作用が発生する。開閉弁９ａを開けると真空タンク８の水は降水管１４より加圧水槽３に降水する。加圧水槽３の水位の上昇で真空作用点が上昇して加圧水槽３の水は真空層３６に揚水する。加圧水槽２、３の水面に作用する気圧と真空作用で装置内の水は動力なしで連続的に循環する。水導入管１０に設けた発電用羽根車３９には水槽６の水頭圧と循環水量が利用できる。
【発明の詳細な説明】
【技術分野】
【０００１】  発明は水を循環させる方法に関するもので発電にも利用できる水の循環方法に関するものである。
【背景技術】
【０００２】  装置内の水を循環させる場合、必ずポンプ等の動力を使用しており、動力なしで水を循環させることは不可能とされていた。
【発明の開始】
【発明が解決しようとする課題】
【０００３】  本発明の水の循環方法は、初期段階において空気圧縮器と真空ポンプを用いて循環条件を設定する。その後は動力なしで連続的に水を循環させることを目的としている。
【解決をするための手段】
【０００４】  本発明の循環方法の原理を図１，図２，図３を用いて説明する。
図１は調整段階の図面、図２は条件設定時の図面，図３は循環水路を示している。
【０００５】  高さ２２ｍ、大きさ５００Ａの貯水槽１を立ち上げ、貯水槽１の両側に高さ２０ｍから３ｍの間に大きさ８００Ａの水槽６を設けている。貯水槽１の高さ２１６０ｃｍ位置に検知器２ｂを取付けている。検知器１ｂが作動すると開閉弁６ａが閉じて、２１５０ｃｍ位置に設けた検知器１ｂが作動すると開閉弁６ａが開放する構成になっている。貯水槽１の上部を真空層３５としている。側面には真空弁２０ａを取付けている。水槽６の高さ１８００ｃｍ位置に検知器４ｂを取付けている。検知器４ｂが作動すると開閉弁６ａが閉じて、１７９０ｃｍ位置に設けた検知器３ｂが作動すると開閉弁６ａが開放する構成になっている。水槽６の上部を真空層３６としている。側面には真空弁１９ａを設けている。真空弁１９、２０ａには配管で真空ポンプ４２に接続している。
【０００６】  所要高さ５ｍの位置に大きさ２５０Ａ，高さ５ｍの加圧水槽２を設けている。加圧水槽２の高さ２，５ｍの位置に仕切板２１を設けている。仕切板２１には大きさ２００Ａの内部管２６が接続している。内部管２６は仕切板２１より２，４ｍ立ち上がっている。加圧水槽２の天板を貫通して上下に上昇管１１が延びている、大きさ８０Ａの上昇管１１は５ｍ立ち上がって平行に延びて水槽６と貯水層１を貫通して上向きにｍ立ち上がって２１，８ｍに位置している。加圧水槽２と上昇管１１の間を加圧層３８としている。加圧水槽２の側面には大気弁１５ａを取付けている。加圧水槽２内の高さ１，２ｍ位置の上昇管１１に均圧管２７が接続している。大きさ１５０Ａの均圧管は２７は３，７ｍ立ち上がっている。
【０００７】  所要高さ１８ｍに位置する大きさ５０Ａの給水層４は１６ｍ垂下している。給水層４の上部に真空弁２３ａを取付けている。給水層４と加圧水槽２とを高さ３ｍの位置で連通管２０を接続している。大きさ２５Ａの連通管２０には開閉弁６ａを取り付けている。加圧水槽２内の上昇管１１に均圧管２７が接続している。均圧管２７の高さ１，５ｍに接続する連通管１９は加圧水槽２を貫通して給水層４に接続している。大きさ２５Ａの連通管１９には開閉弁７ａを取付けている。加圧水槽２と開閉弁７の間の連通管１９に加圧弁８ａを取付けている。加圧弁８ａには配管で加圧器４１に接続している。
【０００８】  給水層４の高さ１６ｍの位置に給水弁１ａを取付けている。水弁１ａの出口側には給水層４の水位を一定範囲に保つフロート弁が取付けている。給水弁１ａには配管で加圧給水器４０に接続している。貯水槽１と加圧水槽２の両者を下部１ｍの位置で連通管９で接続している。大きさ２５Ａの連通管９には開閉弁５ａを取付けている。水槽６の高さ８ｍに接続する大きさ８０Ａの水導入管１０は開閉弁３ａを取り付けてから６，５ｍ垂下して平行に延びて、開閉弁４ａを取り付けてから加圧水槽２に接続している。水導入管１０内には発電用水車３９を組み込んでいる。加圧水層２と開閉弁７ａの間の連通管１９に加圧弁８ａを取り付けている。加圧弁８ａには配管で加圧器４１に接続している。
【０００９】  所要高さ２４ｍの位置に真空タンク７を設けている。高さ１，５ｍ、大きさ３５０Ａの真空タンク７の天板より大きさ１５０Ａの内部管２４が１．２ｍ垂下している。真空タンク７と内部管２４の間を真空層３１、内部管２４内を真空層３０としている。真空タンク７の天板には真空弁１７ａ、側面には真空弁１８ａを取付けている。真空タンク７の床面に接続する大きさ１５０Ａの内部管２３は０，５ｍの間隔を隔てて貯水層１の天板を貫通して貯水槽１内に１１ｍ垂下している。真空タンク７の床面に接続する内部管２３内の床面を貫通して上下に上昇管１２が延びている。大きさ８０Ａの上昇管１２は上方の真空タンク７内に０、５ｍ立ち上がって、下方には内部管２３内を１０ｍ垂下している。内部管２３と上昇管１２の間を加圧層３４としている。内部管２３には加圧弁１４ａを取付けている。真空弁１７ａ、１８ａには配管で真空ポンプ４２に接続している。加圧弁１４ａには配管で加圧器４１接続している、
【００１０】  真空タンク７の外周に所要高さ２３ｍ位置に高さ２ｍの円形状の真空タンク８を設けている。真空タンク８は内径４００Ａ、外径６００Ａに設定している。真空タンク８の天板より５００Ａの内部管２５が１，７ｍ垂下している。真空タンク７の床面に接続する大きさ６５Ａの降水管１３は真空タンク８の床面を貫通して０，５ｍ立ち上がっている。上昇管１３は周囲２箇所に接続している。真空タンク８の床面に接続する大きさ８０Ａの降水管１４は垂下して平行に延びれ開閉弁９ａを取り付けてから加圧水槽３に接続している。真空タンク８の天板には真空弁２１ａ、側面には真空弁２２ａを取り付けている。真空弁２１ａ，２２ａには配管で真空ポンプ４２に接続している。
【００１１】  所要高さ１０ｍ位置に大きさ２５０Ａ，高さ５ｍの加圧水槽３を設けている。加圧水槽３の下部２、５ｍ位置に仕切板２２に接続する大きさ２００Ａの内部管２８は加圧水槽３内に２，４ｍ立ち上がっている。加圧水槽３の天板を貫通して上昇管１５が上下に延びている、大きさ１００Ａの上昇管１５は上方に６ｍ立ち上がって平行に延びて水槽６を貫通して上向きに立ち上がって１８，５ｍに位置している。下方には４ｍ垂下している。加圧水槽３と上昇管１５の間を加圧層３７としている。
【００１２】  加圧水槽３内の高さ１，２ｍの位置に均圧管２９が接続している。大きさ１５０Ａの均圧管２９は上方に３，７ｍ立ち上がっている。所要高さ２０ｍ位置に給水層５を設けている。給水層５の上部には真空弁２４ａを取付けている。大きさ５０Ａの給水層５は１３ｍ垂下している。加圧水槽３と給水層５とを高さ１２ｍ位置で連通管１８で接続している。大きさ２５Ａ連通管１８には開閉弁１０ａを取り付けている。加圧水槽３内の上昇管１５に均圧管２９が接続している。高さ１，５ｍ位置の均圧管２９に接続する連通管１７は加圧水槽３を貫通して給水層５に接続している。大きさ２５Ａの連通管１７には開閉弁１１ａを取付けている。加圧水槽２と開閉弁１１ａの間の連通管１７には加圧弁１２ａを取付けている。
【００１３】  給水層５の高さ１７ｍの位置には給水弁２ａを取り付けている。給水弁２ａの出口側には給水層５の水位を一定範囲に制御するフロート弁を取り付けている。給水弁２ａには配管で加圧給水器４０に接続している。加圧水槽３の床面に接続する連通管１６は１ｍ垂下して平行に延びて開閉弁１３ａを取り付けてから水槽６に接続している。加圧水槽３の側面には大気弁１６ａを取り付けている。加圧弁１２ａには配管で加圧器４１に接続している。
【００１４】  上記、構造の水の循環方法の作業手順とその作用と共に説明をする。
真空作用で真空引きして揚水した水を真空水、そうでない水を自由水という用語を用いて説明する。水の質量は重力の作用で真空中内でも大気中でも質量は変化する事はない。
真空引きで揚水した真空水は水の質量で降水して真空作用点以下になると真空水は自由水に代わって自由水の水面を加圧する作用に代わる。
【００１５】  開閉弁３ａ，４ａ，５ａ，６ａ，９ａ，１０ａ，１３ａ、加圧弁１４ａ、大気弁１５ａ１６ａ真空弁１７ａ，１８ａ，１９ａ，２１ａ，２２ａ，２３ａ，２４ａ、を開けて加圧給水器４０を用いて給水弁１ａ，２ａ、より給水層４、５に給水する。給水層４の水は連通管２０より加圧水槽２に流れて連通管９を経由して貯水槽１に流れると共に上昇管１１に流れて水位は１６ｍになる。又、給水層５の水は連通管１８より加圧水槽３に流れて水槽６と上昇管１５に流れて水位は１７ｍになる。
【００１６】  大気弁１５ａ．１６ａ、開閉弁５ａ、９ａ，１３ａ、を閉じて加圧器４１を用いて加圧弁８ａより加圧層３８に＋０，１気圧の窒素ガスを供給して真空弁１９ａより真空ポンプ４２を用いて真空層３５をー０，７気圧の真空度に設定して加圧水槽２の水を上昇管１１より真空層３５に真空引きする。揚水する水は給水弁１ａより補給する。
《加圧水槽２の作用》
給水弁１ａの出口側に設けたフロート弁によって給水層４の水位は１６ｍの範囲に制御される。給水層４に給水した水は連通管２０より加圧水槽２に流れて上昇管１１と貯水槽１の水位は１６ｍになっている。加圧弁８ａより＋０，１気圧の窒素ガスを供給して真空層３５を真空設定すると給水層４の水面に作用する気圧と水頭圧で封入ガスは内部管２６の内側に移動して給水層４の水は加圧水槽２に流入する。加圧水槽２の水面に作用する気圧と真空層３５の真空作用で加圧水槽２の水は上昇管１１より真空層３５に真空引きされる。揚水する水は給水弁１ａより補給される。
《作用》
貯水槽１に真空水が揚水すると検知器２ｂが作動して開閉弁６ａが閉じて給水は停止する。
▲１▼，給水弁１ａより給水槽４に給水する位置
１６００ｃｍ
▲２▼，給水層４の水頭圧が封入したガスを押し上げて加圧水槽２に流れる水位は
１，６００（自由水）ー１００（封入ガス）＝１，５００（真空作用点）
▲３▼，真空層３５を真空にすると給水層４の水面に作用する大気圧と水頭圧の作用で給水層４の水は加圧水槽２に流れて上昇管１１より真空層３５に揚水する。
真空層３５に揚水する能力は
Ｈ＝（ー０，７）×１０３３，６ｇ＋１．５００＝２、２２３ｃｍ
○、貯水槽１の水位は検知器２ｂの作動で開閉弁６ａを開閉制御される。
開閉弁６ａの閉＝６６０＋１、５００＝２１６０ｃｍ、
開閉弁６ａの開＝６５０＋１，５００＝２１５００ｃｍ
○、上昇管１１から溢れる高さは
Ｈ＝６８０＋１，５００＝２、１８０ｃｍ
○、貯水層１の真空引きする空間は
７２３−６８０＝４３ｃｍ
【００１７】  加圧器４１を用いて加圧弁１４ａより加圧層３４に窒素ガスを＋０，１気圧を供給して真空ポンプ４２を用いて真空弁１７ａ，１８ａより真空層３０，３１をー０，８気圧の真空度に設定する。真空引きする水は給水弁１ａより補給される。
《作用》
真空層３５に真空引きした真空水は貯水槽１の自由水の水面を加圧している。真空層３５の水面に作用する気圧は−０，７ｘ１０３３，６ｇー１０３３，６＝３１０ｃｍになる。真空層３５に揚水した真空水は内部管２３と上昇管１２に作用する水頭圧は７２３ー６６０ー６６０＝５９７ｃｍになる。真空層３５の水面に作用する気圧と真空水の水頭圧は加圧層３４の水面に伝達する。真空層３０，３１の真空作用で内部管２３内の水は上昇管１２より真空層３０，３１に真空引きされる。この作用で真空層３５の水位が下がると検知器２ｂが作動して開閉弁６ａが開放され、真空引きする水は給水弁１ａより補給される。
《作用》
▲１▼，真空層３０，３１に真空引きする高さは。
○、真空層３５の水面に作用する気圧は
Ｐ＝（−０．７）ｘ１０３３，６ｇ−１０３３．６ｇ
＝３１０ｋｇｆ／ｃｍ＾２
▲２▼，真空層３５に揚水して真空水が内部管２３に作用する水頭圧は
Ｈ＝７２３−６６０−６６０＝５９７ｃｍ
▲３▼，加圧層３０，３１の真空引き能力は
Ｈ＝３１０ｘ（ー０，８）＝２４８ｃｍ
▲４▼，内部管２３の水が上昇管１２より真空層３０，３１に真空引きする高さは
Ｈ＝５９７＋３１０ｘ（０，８）＋１５００＝２，３４５ｃｍ
《作用》
○、内部管２３に供給した窒素ガスで押しのけた水量は真空層３５に移動する
内部管２３の大きさ    １５０Ａ    内径１５ｃｍ
断面績    ７，５ｘ７，５ｘ３，１４÷４＝４４，１ｃｍ＾２
上昇管１２の大きさ      ８０Ａ    外径８、９ｃｍ
断面績  ４，４５ｘ４，４５ｘ３，１４÷４＝１５，５ｃｍ＾２
○、押しのけ水量は
Ｑ＝０，１ｘ１０３３，６ｇｘ４４．１−１５，５＝２，９４５ｇ
【００１８】  真空弁２１ａ，２２ａより真空層３２，３３を真空ポンプ４２を用いてー０，７気圧の真空度に設定する、真空引きする水は加圧水槽２の水が真空タンク７を経由して補給される。真空タンク７の水は上昇管１３より真空層３２，３３に真空引きされる。
《作用》
真空層３５の水面に作用する気圧と水頭圧は上昇管１２に伝達している。加圧層３４の水面に作用する気圧と真空層３２，３３の真空作用で真空タンク７の水は上昇管１３より真空層３２，３３に真空引きされる、
▲１▼、真空層３２，３３に真空引きする高さは
Ｈ＝２３４５−（０，８）ー（−０，７）ｘ１０３３，６ｇ＝２２４２ｃｍ
▲２▼，真空タンク８の，水が降水管１４より下降して自由水になる位置は
Ｈ＝２２４２−（−０，７）ｘ１０３３，６＝１５１９ｃｍ
《作用》
真空タンク８の真空設定値に水が揚水すると開閉弁６ａが閉じて給水は停止する。
開閉弁６ａ，を閉じて真空弁２３ａより給水層４の上部をー０，１気圧の真空度に設定して給水弁１ａ、を閉じて開閉弁７ａを開放する。給水層４の水頭圧は加圧水槽２の水面に作用する。真空層３５には真空引きする空間があるので加圧水槽２の水は上昇管１１より真空層３５に真空引きされる。
《加圧水槽２に作用する給水層４の水頭圧は》
▲１▼，給水層４の水位は
Ｈ＝−０，１ｘ１０２２，６ｇ（真空水）＋１６００（自由水）＝１７０３ｃｍ
▲２▼，給水層４の水が加圧水槽２に移動する水量は
Ｈ＝１６００（自由水）−１０３（封入ガスの高さ）＝１４９７ｃｍ
Ｈ＝１４９７−１４５７＝４０ｃｍ
Ｑ＝４０ｘ２，５ｘ２，５ｘ３，１４÷４＝１９６ｇ
▲３▼，給水層４の水頭圧が加圧水槽２の水面に作用する水頭圧は
Ｐ＝１７０３−４０＝１６６３ｃｍ
▲４▼，封入ガスが水温の変化で膨張と収縮して水位変化しても水頭圧は変化しない。
《作用》
▲１▼、加圧水槽２の水が真空層３５に揚水して加圧水槽２の水位は
Ｈ＝２１８０−（−０，７）ｘ１０３３，６＝１４５７ｃｍ、（真空作用点）
▲２▼，加圧水槽２の水が真空層３５に真空引きされる水量
Ｈ＝１，５００−１４５７＝４３ｃｍ
Ｑ＝４３ｘ１２，５ｘ１２，５ｘ３，１４÷４＝５２７４ｇ
真空層３５に揚水した真空水は真空層３５、真空タンク７，８の容積に等分した真空水が揚水する。
▲３▼，真空層３５の真空水の水位は
真空層３５の大きさ    ５００Ａ  内径５０ｃｍ丸
断面績    ２５ｘ２５ｘ３，１４÷４＝４９０，６ｃｍ＾２
上昇管１１の大きさ      ８０Ａ  外径８，９ｃｍ丸
断面績    ４，４５ｘ４，４５ｘ３，１４÷４＝１５，５ｃｍ＾２
内部管２３の大きさ    １５０Ａ  外径  １６、５ｃｍ丸
断面績    ８，２５ｘ８，２５ｘ３，１４÷４＝５３，４ｃｍ＾２
容積    ４９０，６−１５，５−５３，５＝４２１，７ｃｍ＾２
○、真空層３５に揚水する真空水は
Ｈ＝６６０＋４３＋５２７４÷４２１，７＝７１５，５ｃｍ
▲４▼、真空タンク７の大きさ  ３５０Ａ  ３５ｃｍ丸
断面績  １７，５ｘ１７，５ｘ３，１４÷４＝２４０，６ｃｍ＾２
真空タンク８の大きさ    ４００Ａ    外径  ６００Ａ
内径の大きさ      ４００Ａ    外径  ４０，６ｃｍ
断面績    ２０，３ｘ２０，３ｘ３，１４÷４＝３２３，４ｃｍ＾２
外径の大きさ        ６００Ａ      内径  ６０ｃｍ丸
断面績    ３０ｘ３０ｘ３，１４÷４＝７０６，５ｃｍ＾２
容積  ７０６，５−３２３，４＝３８３，１ｃｍ＾２
▲５▼、真空層３５，真空タンク７，８に揚水する高さは
Ｈ＝７１５，５−６６０ｘ４２１，７＝２３，４０４ｇ
Ｈ＝２３，４０４÷（４２１、７＋２４０，６＋３８３，１＝１０４５，５）
＝２２，３ｃｍ
▲６▼，真空層３５に揚水する真空水の水位は
Ｈ＝７１５，５−２２，３−２２，３＝６７０，９ｃｍ
基準水位は
Ｈ＝６７０＋１４５７＝２１２７ｃｍ
▲７▼，真空層３０，３１に真空引きする高さは
Ｈ＝７２３−６７０−６７０＝６１７
基準水位は
Ｈ＝６１７＋２４８＋１４５７＝２３２２ｃｍ
▲８▼、真空層３２，３３の水位は
Ｈ＝２３２２−（−０，１）ｘ１０３３，６ｇ＝２２１９ｃｍ
▲９▼、真空タンク８の水が降水管１４より下降して自由水になる位置は
Ｈ＝２２１９−（−０，７）ｘ１０３３，６＝１４９６ｃｍ
【００１９】  大気弁１６ａ、１３ａを閉じて、加圧弁１２ａより加圧器４１を用いて加圧水槽３に＋０，２気圧の窒素ガスを供給する。
《加圧水槽３の作用》
給水弁２ａより給水層５に給水した水は連通管１８より加圧水槽３に流れて水槽６と上昇管１５に流れて水位は１７ｍになっている。給水槽５の水面に作用する大気圧と水頭圧は加圧水槽３に封入した窒素ガスに伝達している。
【００２０】  真空弁２０ａより真空ポンプ４１を用いて真空層３６をー０、５気圧に設定する。揚水する水は給水弁２ａより補給される。
《作用》
真空層３６の真空作用で給水層５の水頭圧は封入したガスを内部管２８内に移動させて給水層５の水は加圧水槽３に移動する。加圧水槽３の水面に作用する気圧と真空層３６の真空作用で加圧水槽３の水は上昇管１５より真空層３６に真空引きされる。
《加圧水槽３の水面に作用する給水層５の水頭圧は》
▲１▼，給水弁２ａより給水層５に給水する位置
Ｈ＝１７００ｃｍ
▲２▼，給水層５の水頭圧が加圧水槽３の水面に作用して真空作用点は
Ｈ＝１，７００（自由水）ー２００（封入ガス）＝１５００ｃｍ（真空作用点）
▲▼３，真空層３６に真空引きする能力は
Ｈ＝−０，５ｘ１０３３，６ｇ＋１、５００＝２，０１６ｃｍ
▲４▼，水槽６に設けた検知器４ｂの作動で水槽６の制御水位は
Ｈ＝３００＋１，５００ｃｍ＝１，８００ｃｍになると開閉弁１０ａは閉じて給水は停止する。
▲５▼，上昇管１５を溢れる高さは
Ｈ３５０＋１，５００＝１、８５０ｃｍ
▲６▼，真空引きする空間は
Ｈ＝２０１６−１８５０＝１６６ｃｍ
《作用》
真空層３６に所定の真空水が揚水すると開閉弁１０ａが閉じて給水が停止する。
開閉弁１０ａを閉じて、真空弁２４ａより給水層５の上部をー０，２気圧の真空度に設定して給水弁２ａ、を閉じて，開閉弁１１ａを開放する。真空層３６には真空引きする空間があるので加圧水槽３水は上昇管１５より水槽６に揚水する。
《加圧水槽３の作用》
▲１▼，給水層５の水位は
Ｈ＝１，７００（自由水）＋（−０，２）ｘ１０３３，６ｇ（真空水）
＝１９０６ｃｍ
▲２▼，給水層４の水頭圧が加圧水槽３に作用する気圧は
Ｈ＝１７００（自由水）−１３３４ー（＋０，２）ｘ１０３３，６ｇ（封入ガス）
＝１６０ｃｍ
▲３▼，給水層５の水が加圧水槽３に移動する水量は
Ｑ＝１６０ｘ２，５ｘ２，５ｘ３，１４÷４＝７８５ｇ
▲４▼，給水層５の水頭圧が加圧水槽３に作用する水頭圧は
Ｈ＝１９０６−１６０＝１７４６ｃｍ
封入したガスが水温で膨張、収縮して水位が変化しても給水層５の水頭圧は変化しない。
《作用》
▲１▼，加圧水槽３の水が上昇管１５より真空層３６に揚水する水量は
Ｈ＝２０１６−１８５０＝１６６ｃｍ
Ｑ＝１６６ｘ１２，５ｘ１２，５ｘ３，１４÷４＝２０，３６０ｇ
▲２▼，加圧水槽３の水が上昇管１５より真空層３６に揚水する真空水の水位は
真空層３６の大きさ    ８００Ａ  内径８０ｃｍ丸
断面績    ４０ｘ４０ｘ３，１４÷４＝１２５６ｃｍ＾２
貯水槽１の大きさ      ５００Ａ  外径  ５０，８ｃｍ丸
断面績    ２５，４ｘ２５，４ｘ３，１４÷４＝５０６，４ｃｍ＾２
上昇管１５の大きさ    １００Ａ  外径１１，４ｃｍ丸
断面績    ５，７ｘ５，７ｘ３，１４÷４＝２５，５ｃｍ＾２
容積    １２５６−５０６，４−２５，５＝７２４，１ｃｍ＾２
Ｈ＝３００＋１６６＋２０、３６０ｇ÷７２４，１＝４９４、１ｃｍ
基準高水位は
Ｈ＝１３４４＋４９４＝１８２８ｃｍ
《作用》
真空層３６に真空引きした真空水は水の重さで水槽６の水面を加圧する作用に代わる。
真空層３６に作用する気圧は水導入管１０に伝達される。開閉弁３ａ，４ａ、を開放すると水槽６の水は水導入管１０より加圧水槽２に下降する。
▲１▼，真空層３６の真空水が水導入管１０より加圧水槽２の水面に作用する水頭圧は
○、Ｐ＝−０，５ｘ１０３３，６ｇ−４９４−４９４＝４７２ｃｍ
Ｈ＝１３３４＋４７２＝１８０６ｃｍ
○、水槽６の水頭圧が導入管１０より加圧水槽２の水面に作用する水頭圧は
水車の位置を１５０ｃｍとする。
Ｈ＝１８０６−１５０＝１６５６ｃｍ
《作用》
加圧水槽２の水面に作用する気圧と真空層３５の真空作用で加圧水槽２の水は上昇管１１より真空層３５に真空引きされる。
▲１▼，水導入管１０より加圧水槽２に流れる水量は、
水車の位置を１，５ｍ、水車の抵抗を３０％とする
○、水槽６の水頭圧が加圧水槽２の水面に作用する気圧は
Ｈ＝  １６５６−１４５７＝１９９ｃｍ
○、水槽６と貯水槽１の真空設定値の差は
（−０，７）ー（−０，５）ｘ１０３３，６ｇ＝２０６ｃｍ
○、水導入管１０に流れる水量は
Ｈ＝  √１９９ｘ２ｘ９８０＝６２４ｃｍ
Ｑ＝  ６２４ｘ４ｘ４ｘ３，１３÷４ｘ（１−３０％）＝５４８６ｇ／ｓ
《各配管に流れる水量は》
▲１▼，上昇管１１より真空層３５に真空引きする能力は
Ｑ＝−０，７ｘ１０３３，６ｘ４ｘ４ｘ３，１４÷４
＝９，０８７ｇ／ｓ
▲２▼，上昇管１２より真空層３０，３１に真空引きする能力は
Ｑ＝−０，８ｘ１０３３，６ｇｘ３，２５ｘ３，２５ｘ３，１４÷４ｘ２
＝１３，７１２ｇ／ｓ、
▲３▼，真空タンク７の水が上昇管１３より真空層３２，３３に真空引きする能力は
Ｑ＝−０，７ｘ１０３３，６ｇｘ４ｘ４ｘ３，１４÷４
＝９，０８７ｇ／ｓ
▲４▼，真空タンク８の水が５，４８６ｇ降水管１４より加圧水槽３に降水すると加圧水槽３の真空作用点の変化は
５４８６ｇ÷（１２，５ｘ１２，５ｘ３，１４÷４）÷２＝２２，３ｃｍ
Ｈ＝１３３４＋２２．３＝１３５６，３ｃｍ
▲５▼、加圧水槽３の水が上昇管１５より真空層３６に真空引きする能力は
−０，５ｘ１０３３，６ｇｘ５ｘ５ｘ３，１４÷４
＝１０，１４２ｇ／ｓ
▲６▼，水導入管１０に流れる５４８６ｇの水は定常流で装置内を循環する。
【００２１】  条件設定後に開閉弁３ａ，４ａを開放すると水槽６の水は導入管１０より加圧水槽２に流れて加圧水槽２の真空作用点が上昇する。
▲１▼，水導入管１０より加圧水槽２に降水による水位の上昇は
５４８６ｇ÷（１２，５ｘ１２，５ｘ３，１４÷４）＝４４，７ｃｍ
▲２▼，加圧水槽２に下降する水量は移動する水量は流入と流出で水位の上昇を１／２と仮定して加圧水槽２の水位上昇は
４４，７÷２＝２２，３ｃｍ
▲３▼，加圧水槽２の真空作用点の上昇は
１４５７＋２２，３＝１４７９，３ｃｍ
真空層３６の水が水導入管１０より加圧水槽２に移動して真空作用点の上昇すると加圧水槽２の水は上昇管１１より真空層３５に真空引きされる。この作用で真空タンク７，８には真空作用が発生して真空層３５の水は真空タンク７，８に揚水する。
▲４▼，真空層３５の水位は
５４８６ｇ÷（４２１，７＋２４０，６＋３８３，１＝１０４５，４）＝５，２ｃｍ
１４５７＋６７０＋５．２＝２１３２ｃｍ
▲５▼，真空タンク７に揚水する高さは
６７０＋５，２＝６７５、２ｃｍ
７２３−６７５−６７５＝６２７ｃｍ
６２７＋２４８＋１４５７＋２２，３＝２３５４、３ｃｍ
▲６▼，真空タンク８に揚水する高さは
２３５４−（−０，８）ー（−０，７）＝２２５１ｃｍ
▲７▼，真空タンク８の真空水が降水管１４を下降して自由水になる水位は
２２５１−（−０，７）ｘ１０３３，６ｇ＝１５２８ｃｍ
開閉弁９ａを開放すると真空タンク８の水は降水管１４より加圧水槽３に下降して加圧水槽３水位が上昇し、真空作用点の上昇により加圧水槽３の水は上昇管１５より真空層３６に真空引きされて真空タンク８，７には真空作用が発生する。
▲８▼，真空タンク８の水が降水管１４を下降する能力は
１５２８ー（１３３４＋２２）＝１７２ｃｍ
√１７２ｘ２ｘ９８０＝５８０ｃｍ
５８０ｘ５ｘ５ｘ３，１４÷４＝１１，３８２ｇ／ｓ
従って５４８６ｇの水は降水管１４より加圧水槽３に下降する。
▲９▼，５４８６ｇの水が加圧水槽３に流れて加圧水槽３の水位は
５４８６ｇ÷（１２，５ｘ１２，５ｘ３，１４÷４）÷２＝２２，３ｃｍ
従って加圧水槽３の真空作用点は
▲１０▼，１３３４＋２２，３＝１３５６，３ｃｍ
貯水槽１、水槽６に給水した自由水は循環作用で真空作用点以上の自由水は真空水に代わる。
《作用》
上記、説明のように条件設定時、真空層３５，３６の水面には常に真空引きする空間が存在していて、給水層４，５の水頭圧は加圧水槽２，３に封入した窒素ガスに伝達している。加圧水槽２，３の水面に作用する気圧と真空設定で加圧水槽２，３の水は貯水槽１と水槽６に揚水して真空作用点は下降している。開閉弁３ａ，４ａ，９ａ、を開放すると加圧水槽２，３に水が流れて加圧水槽２，３には２２ｃｍ真空作用点が上昇して真空タンク７，８には真空作用が発生して水導入管１０に流れる５４８６ｇ／ｓの水は動力を使用しないで装置内を循環する。  水導入管１０においては１６５６ｋｇｆ／ｃｍ＾２の水頭圧が利用する事ができる。給水層４，５の上部を真空設定する事により水温の変化で発生する封入ガスの膨張と収縮で加圧水槽２，３の水位が増減しても加圧水槽２，３に作用する水頭圧の変化を防止している。
【発明の効果】
【００２２】  請求項１に係るの水の循環式発電方法は。給水槽４の高さ１６ｍに設けた給水弁１ａより給水を受ける給水層４を所要高さ１７ｍ位置に設け、加圧水槽２と貯水槽１とを連通管９で接続し、給水層４の水を連通管９より加圧水槽２を経由して貯水槽１と上昇管１１にに１６ｍまで満水にする。加圧水槽２に＋０，１気圧の窒素ガスを供給して給水層４の水頭圧を連通管２０より封入ガスに伝達させる。真空層３５をー０，７気圧の真空度に設定して加圧水槽２内より所要高さ２１８０ｃｍ位置に立ち上がる上昇管１１より真空層３５に揚水させる。真空層３５に真空引きする水位を検知器２ｂで開閉弁６ａを開閉して２１，６ｍに制御する。加圧層３４に＋０，１気圧の窒素ガスを供給し、真空タンク７をー０，８気圧、真空タンク８をー０，７気圧の真空度に設定して内部管２３の水を上昇管１２より真空タンク７に真空引きする。真空タンク７の水を上昇管１３より真空タンク８に移動させて水の重さで降水管１４より加圧水槽３に下降させる。真空引きする水は給水弁１ａより補給する。
【００２３】  所定の水が真空タンク８に真空引きすると開閉弁６ａは閉じて給水は停止する。開閉弁６ａを閉じて真空層２３ａをー０，１気圧に設定して開閉弁７ａ、を開放して給水弁１ａを閉じて給水層４の水頭圧を加圧水槽２に伝達させる。真空層３５の水面には真空引きする空間があるので加圧水槽２の水は真空層３５に揚水する。この作用で真空層３５の水は真空タンク７，８に揚水する。真空作用点は１４５７ｃｍになる。
【００２４】  高さ１７ｍの給水弁２ａより給水を受ける給水層５を所要高さ２０ｍ位置に設け、給水層５と加圧水槽とを連通管１８で接続し、加圧水槽３の水を連通管１６より水槽６と上昇管１５に１７ｍまで満水にする。加圧水槽３に＋０，２気圧の窒素ガスを供給して給水層５の水頭圧を加圧水槽３の水面に伝達させる。真空層３６を−０，５気圧の真空度に設定して加圧水槽３内より所要高さ１８５０ｃｍに立ち上がる上昇管１５より真空層３６に真空引きさせる。真空層３６の水位は検知器４ｂで１８ｍに開閉弁１０ａで開閉制御している。真空引きする水は開閉弁２ａより補給する。
【００２５】  所定の水が真空層３６に揚水すると開閉弁１０ａが閉じて給水は停止する。開閉弁１０ａを閉じて、真空弁２４ａより給水槽５をー０，２気圧に設定して開閉弁１１ａを開けて給水弁２ａを閉じて給水層５の水頭圧を加圧水槽３に伝達させる。真空層３６の水面には真空引きする空間があるので加圧水槽３の水は上昇管１５より真空層３６に揚水して加圧水槽３の真空作用点は１３３４ｃｍになる。
【００２６】  開閉弁３ａ，４ａ，を開放すると水槽６の水は水導入管１０より加圧水槽２に流れて加圧水槽２の真空作用点は２２ｃｍ上昇して加圧水槽２の水は上昇管１１より真空層３５に真空引きされる。この作用で真空タンク７，８には真空作用が発生して加圧水槽３５の水は真空タンク７，８に揚水する。開閉弁９ａを開放すると真空タンク８の水は水の重さで降水管１４を下降して加圧水槽３の真空作用点２２ｃｍは上昇する。真空作用点の上昇により加圧水槽３の水は上昇管１５より水槽６に真空引きされる。この作用で真空タンク８，７には順次真空作用が発生する。条件設定後は動力を使用しないで装置内の水は循環する。循環水路の水導入管１０に発電用水車を設けて発電を行う事が可能になる。
【発明を実施するための最良の形態】
【００２７】  請求項１に係る本発明の循環式発電装置は密閉水路で装置内の水を循環させる。
所要高さに貯水層１を立ち上げ、外側に水槽６を設け、両側に加圧水槽２，３を設け、容積を貯水槽１＜水槽６とする。水槽６と貯水槽１に真空引きする高さを制御する検知器２ｂ、４ｂを設け、給水弁１ａ，２ａより給水を受ける給水層４、５を所要高さ位置に設け、給水層４と加圧水槽２とを連通管２０で接続し、加圧水槽２と貯水槽１とを連通管９で接続する。給水層５と加圧水槽３とを連通管１８で接続し、加圧水槽３と水槽６とを連通管１６で接続して、加圧水槽２，３の水を連通管９，１６より貯水槽１、水槽６に給水する。加圧水槽２，３に窒素ガスを封入して給水層４，５の水頭圧を加圧水槽２，３に供給した封入ガスに伝達させ、循環水路の真空設定値を貯水層１＜真空タンク７と段階的に大きく設定する。貯水槽１に真空引きした真空水内に内部管２３を水没させ内部管２３内を窒素ガスを封入して内部管２３内の水を上昇管１２より真空タンク７、８に真空引きさせる。揚水する水は給水弁１ａより補給する。真空層３６を真空設定して給水弁２ａより補給して加圧水槽３の水を揚水させる。【００２８】  真空タンク８に所定の水が揚水したら開閉弁６ａを閉じて真空弁２３ａより給水層４を−０，１気圧以上の真空度に設定して開閉弁７ａを開け、給水弁１ａを閉じて給水層４の水頭圧を加圧水槽２に伝達させる。貯水槽１には真空引きする空間があるので加圧水槽２の水は貯水槽１に真空引きされて真空作用点が下がる。【００２９】  真空層３６に所定に水が揚水したら開閉弁１０ａを閉じて真空弁２４ａより給水層５を−０，２気圧以上の真空度に設定して開閉弁１１ａを開け、給水弁２ａを閉じて給水層５の水頭圧を加圧水槽３に伝達させる。水槽６には真空引きする空間があるので加圧水槽３の水は上昇管１５より水槽６に揚水して真空作用点は下降する。【００３０】  循環水路の開閉弁３ａ，４ａを開けると水槽６に真空引きした真空水は水槽６の自由水を加圧している。水槽６と加圧水槽２とは気圧差があるので水槽６の水は水導入管１０より加圧水槽２に流れる。加圧水槽２に流れた水量で真空作用点が上昇して加圧水槽２の水は上昇管１１より貯水槽１に真空引きされる。この作用で真空タンク７，８には順次真空作用が発生して真空層３５の水は真空タンク７，８に真空引きされる。【００３１】  開閉弁９ａを開けると真空作用点の低下した加圧水槽３に降水管１４の水が降水して真空作用点が上昇する。この作用で真空タンク７，８には順次真空作用が発生して装置内の水は動力を使用しないで循環する。水槽６、貯水槽１の真空部分を屋上に設け、加圧水槽２，３を地上に設置して循環水路の配管を接合する。装置を大きくすることにより循環水量を増加することができる。装置を高くすることで発電用水車３９を設けた水導入管１０に於いて、水流と水深による水頭圧を利用することができてる。
【発明の実施形態】
【実施図】
【００３２】  図１及び図２，図３は請求項１に係る、発明の循環方法の原理を示している。図１は調整段階の水位を示している。図２は条件設定時の状態を示している。図３においては水の循環状態を示している。この図において１は貯水槽、２は加圧水槽、３は加圧水槽、４は給水糟、５は給水槽になっている。
【００３３】  大きさ５００Ａ、高さ２２ｍの貯水槽１の外側に、大きさ８００Ａ，高さ２０ｍから３ｍの間に水槽６を設けている。貯水槽１内に真空引きする水位を制御する検知器１ｂ、２ｂを取り付けている。貯水層１の水位が２１，６ｍになると検知器２ｂが作動して開閉弁６ａが閉じ、水位が２１，５ｍになると検知器１ｂが作動して開閉６ａが開放する機構になっている。貯水槽１の上部を真空層３５としている。側面には真空弁１９ａを取り付けている。水槽６内に真空引きする水位を制御する検知器３ｂ、４ｂを取り付けている。水槽６の水位１８ｍになると検知器４ｂが作動して開閉弁１０ａが閉じて、水位が１７，９ｍ以下の時は開閉弁１０ａが開放する機構になっている。水槽６の上部を真空層３６としている。側面には真空弁２０ａを取り付けている。真空弁１９ａ、２０ａには配管で真空ポンプ４２に接続している。貯水層１の両側に加圧水槽２，３を設けている。
【００３４】  加圧水槽２は高さ５ｍ，大きさ２５０Ａに設定している。加圧水槽２の下部２，５ｍ位置に設けた仕切板２１より大きさ２００Ａの内部管２６が２．４ｍ立ち上がっている。
加圧水槽２の天板を貫通して上昇管１１が上下に延びている。大きさ８０Ａの上昇管１１は上方に５ｍ立ち上がって水槽６と貯水槽１を貫通して上向きに立ち上がって所要高さ２１，８ｍに位置している。下方には４ｍ垂下している。所要高さ１７ｍに位置する大きさ５０Ａの給水層４は１５ｍ垂下している。加圧水槽２と給水層４とを高さ３ｍ位置で連通管２０で接続している。大きさ２５Ａの連通管２０には開閉弁６ａを取り付けている。
給水層４の上端には大気弁２３ａを取り付けている。高さ１６ｍ位置には給水弁１ａを取り付けている。給水弁１ａには配管で加圧給水器４０に接続している。給水弁１ａの出口側には給水層４水位を一定範囲に保つフロート弁を取り付けてる。
【００３５】  加圧水槽２内の上昇管１１に均圧管２７が高さ１，２ｍに接続している。大きさ１５０Ａの均圧管２７は上方に３，７ｍ立ち上がっている。均圧管２７に接続する大きさ２５Ａの連通管１９は加圧水槽２を貫通して開閉弁７ａを取り付けてから給水層４に接続している。加圧水槽２と開閉弁７ａの間に加圧弁８ａを取り付けている。加圧水槽２と貯水槽１とを高さ０，５ｍ位置で連通管９で接続している。大きさ２５Ａの連通管９には開閉弁５ａを取り付けている。水槽６の高さ８ｍの位置に接続する大きさ８０Ａの水導入管１０は開閉弁３ａを取り付けてから６，５ｍ垂下して平行に延びて開閉弁４ａを取り付けてから加圧水槽２の接続している。水導入管１０内には発電用水車３９を組み込んでいる。加圧水槽２と上昇管１１の間を加圧層３８としている。加圧水槽２の側面には大気弁１５ａを取り付けている。加圧弁８ａには配管で加圧器４１に接続している。
【００３６】  所要高さ２４ｍ位置に真空タンク７を設けている。真空タンク７は高さ１，５ｍ，大きさ３５０Ａに設定している。真空タンク７の天板から大きさ１５０Ａの内部管２４が１，２ｍ垂下している。真空タンク７と内部管２４の間を真空層３１，内部管２４内を真空層３０としている。真空タンク７の天板には真空弁１７ａ、側面には真空弁１８ａを取付けている。真空弁１７ａ，１８ａ，には配管で真空ポンプ４２に接続している。真空タンク７の床面に大きさ１５０Ａの内部管２３が接続している。内部管２３は真空タンク７と貯水槽１とを０，５ｍの間隔を隔てて、貯水槽１の天板を貫通して１１ｍ垂下している。内部管２３内の真空タンク７の床面を貫通して上下に上昇管１２が延びている。
大きさ８０Ａの上昇管１２は上方に０，５ｍ立ち上がっている。下方には貯水槽１内に１０ｍ垂下している。内部管２３には加圧弁１４ａを取り付けている。加圧弁１４ａには配管で加圧器４１に接続している。
【００３７】  真空タンク７の外周に所要高さ２３ｍ位置に高さ２ｍの真空タンク８を設けている。真空タンク８は内径４００Ａ、外径６００Ａになっている。真空タンク８の天板より５００Ａの内部管２５が１，５ｍ垂下している。真空タンク７の床面に接続する大きさ６５Ａの上昇管１３は真空タンク８の床面を貫通して上向きに１ｍ立ち上がっている。上昇管１３は周囲２箇所に設けている。内部管２５と真空タンク８の外側の間を真空層２１ａ、内側を真空層３０としている。真空タンク８の外側に真空弁２１ａ、内側に真空弁２２ａを取り付けている。真空弁２１ａ．２２ａ、は配管で真空ポンプ４２に接続している。真空タンク８の床面に接続する大きさ１００Ａの降水管１４は垂下して開閉弁９ａを取り付けてから加圧水槽３に接続している。
【００３８】  所要高さ１０ｍの位置に加圧水槽３を設けている。加圧水槽３は大きさ２５０Ａ、高さ５ｍに設定している。加圧水槽３の下部２、５ｍの位置に仕切板２２を設けている。
仕切板２２に接続する大きさ２００Ａの内部管２８は２，４ｍ鉛直に立ち上がっている。加圧水槽３の床面に接続する大きさ２５Ａの連通管１６は１ｍ垂下して平行に延びて開閉弁１３ａを取り付けてから水槽６に接続している。加圧水槽３の天板を貫通して上下に上昇管１５が延びている。大きさ１００Ａの上昇管１５は上方に７ｍ立ち上がって平行に延びて水槽６を貫通して上向きに１，５ｍ立ち上がっている。加圧水槽３と上昇管１５の間を加圧層３７としている。加圧水槽３内の上昇管１５には高さ１，２ｍ位置に均圧管１７が接続している。大きさ１５０Ａの均圧管は鉛直に３，７ｍ立ち上がっている。
加圧水槽３の上部側面に大気弁１６ａを取付けている。
【００３９】  所要高さ２０ｍに位置する大きさ５０Ａの給水層５は１３ｍ垂下している。高さ８ｍの位置で加圧水槽３と給水層５とを連通管１８で接続している。連通管１８には開閉弁１０ａを取り付けている。給水層５の高さ７，５ｍ位置に接続する大きさ２５Ａの連通管１７は開閉弁１１ａを取付けてから加圧水槽３を貫通して均圧管２９に接続している。
加圧水槽３と開閉弁１１ａの間の連通管１７に加圧弁１２ａを取付けている。加圧弁１２ａには配管で加圧器４１に接続している。給水層５の上端には真空弁２４ａを取り付けている。高さ１７ｍの位置に給水弁２ａを取り付けている。給水弁２ａの出口側には給水層５水位を一定範囲に保つフロート弁を取り付けている。給水弁２ａには配管で加圧給水器４０に接続している。
【００４０】  次に、上述した構造の装置の使用による本発明の水の循環方法を、その作用と共に説明する。
【００４１】  まず最初に開閉弁３ａ，４ａ，５ａ，６ａ，１０ａ，１３ａ、加圧弁１４ａ、大気弁１５ａ，１６ａ、真空弁１７ａ，１８ａ，１９ａ，２０ａ，２１ａ，２２ａ，２３ａ，２４ａ、を開けて、加圧給水器４０に水源を接続して、給水弁１ａより給水糟４に給水する。貯水槽１の水位が１６ｍになると給水は停止する。
《作用》
給水弁１ａの出口側に設けたフロート弁によって給水層４の水位は１６ｍに制御される。給水層４の水は連通管２０より加圧水槽２に流れて連通管９を経由して貯水層１と上昇管１１に水が流れる。水位が１６ｍになると給水は停止する。
【００４２】  大気弁１５ａ、開閉弁３ａ，４ａ、７ａ、９ａ、を閉じて加圧弁８ａより加圧器４１を用いて加圧水槽２に＋０，１気圧の窒素ガスを供給する。真空ポンプ４２用いて真空弁１９ａより真空糟３５をー０，７気圧に設定する。揚水する水は給水弁１ａより補給する。
《作用》
加圧水槽２の水面に窒素ガスを供給してから真空層３５を真空設定をする。給水槽４の水面に作用する大気圧と水頭圧は加圧水槽２の水面に伝達している。真空層３５の真空作用で加圧水槽２の水は上昇管１１より真空層３５に真空引きする。給水層４の水頭圧で封入ガスを内部管２６の内側に移動させて給水層４の水は加圧水槽２に移動して揚水に必要な水は補給される。
▲１▼，真空作用点は
Ｈ＝１６００（自由水）−１００（封入ガス）＝１５００ｃｍ
▲２▼、加圧水槽２の水が上昇管１１より真空層３５に揚水する能力は
Ｈ＝ー０．７ｋｇｆ／ｃｍ＾２×７６×１３．６ｇ＝７２３ｃｍ
基準水位は
Ｈ＝７２３＋１，５００ｃｍ＝２，２２３ｃｍになる。
▲３▼，貯水槽１に設けた検知器１ｂ，２ｂの作用で貯水槽１の水位は制御される。貯水槽１の水位が２１，５ｃｍ以下の時は開閉弁６ａは開、２１，６ｍになると開閉弁６ａが閉じて給水は停止する。
▲４▼、貯水槽１の基準水位は
Ｈ＝６６０＋１，５００＝２，１６０ｃｍになる。
▲５▼、上昇管１１を溢れる高さは
Ｈ＝６８０＋１５００＝２１８０ｃｍ
▲６▼、真空引きする空間は
Ｈ＝２２２３−２１８０＝４３ｃｍ
《各，配管の容積》
▲１▼，貯水槽１の容積
貯水槽１の、大きさ    ５００Ａ    内径  ５０ｃｍ丸
断面績    ２５ｘ２５ｘ３，１４÷４＝４９０，６ｃｍ＾２
内部管２３の大きさ    １５０Ａ    外径  １６，５ｃｍ丸
断面績８，２５ｘ８，２５ｘ３，１４÷４＝５３，４ｃｍ＾２
上昇管１１の大きさ    ８０Ａ  外径８、９ｃｍ丸
断面績    ４，４５ｘ４，４５ｘ３，１４÷４＝１５．５ｃｍ＾２
○、貯水槽１の容積は
４９０、６−５３，４−１５，５＝４２１，７ｃｍ＾２
▲２▼，水槽６の容積
水槽６の大きさ    ８０ｃｍ丸  内径８０ｃｍ丸
断面績  ４０ｘ４０ｘ３，１４÷４＝１２５６ｃｍ＾２
貯水槽１の大きさ  ５０ｃｍ丸  ，外径５０，８ｃｍ丸
断面績  ２５，４ｘ２５，４ｘ３，１４÷４＝５０６，４ｃｍ＾２
上昇管１５の大きさ  １０ｃｍ丸  外径１１，４ｃｍ丸
断面績  ５，７ｘ５，７ｘ３，１４÷４＝２５，５ｃｍ＾２
○、容積  １２５６−５０６，４−２５，５＝７２４，１ｃｍ＾２
▲３▼、加圧水槽２，３の大きさ  ２５ｃｍ丸，内径２５ｃｍ丸    高さ５ｍ
断面績    １２，５ｘ１２，５ｘ３，１４÷４＝１２２，６ｃｍ＾２
▲４▼，真空タンク７の大きさ  ３５ｃｍ丸  、内径３５ｃｍ    高さ１，５ｍ
断面績    １７，５ｘ１７，５ｘ３，１４÷４＝２４０，６ｃｍ＾２
▲５▼，真空タンク８の大きさ  内側  外径４０，６ｃｍ丸  外側  内径６０ｃｍ丸
断面績  ３０ｘ３０ｘ３，１４÷４＝７０６，５ｃｍ＾２
断面績  ２０，３ｘ２０，３ｘ３，１４÷４＝３２３，４ｃｍ＾２
○、容積７０６，５−３２３，４＝３８３，１ｃｍ＾２
【００４３】  大気弁１５ａ、開閉弁９ａを閉じて、加圧弁１４ａより加圧器４１を用いて加圧層３４に＋０，１気圧の窒素ガスを供給して真空弁１７ａ，１８ａより真空層３０，３１．をー０，８気圧の真空度に設定する。真空引きする水は給水弁１ａより補給される。
《作用》
真空層３５に真空引きした真空水は貯水槽１の自由水を加圧する作用に代わる。真空水が上昇管１２と内部管３４に作用する水頭圧は
−０，７ｘ１０３３，６ｇ−６６０−６６０＝５９７ｃｍ
《作用》
真空層３５の水面にはー０，７気圧の真空度に設定している。貯水槽１の水位は６６０ｃｍで真空層３５に揚水した６６０ｃｍの真空水は自由水の水面を加圧している。５９７ｃｍの水頭圧は加圧層３４の水面と上昇管１２に伝達している。加圧層３４を＋０，１気圧の窒素ガスを供給すると押しのけた水は真空層３５に移動する。加圧層３５の水面に作用する気圧と水頭圧は真空層３０，３１の真空作用で内部管２３の水は上昇管１２より真空層３０，３１に揚水する。
▲１▼、真空層３５の水面に作用する気圧は
ー０，７Ｘ１０３３，６ｇー１０３３，６ｇ＝３１０ｋｇｆ／ｃｍ＾２
▲２▼，真空層３５に揚水した真空水が内部管２３と上昇管１２に作用する水頭圧は
−０，７ｘ１０３３，６ｇ−６６０−６６０＝５９７ｃｍ
▲２▼、加圧層３４の水が上昇管１２より真空層３０、３１に真空引きする高さは
３１０ｘ（−０，８）＋５９７＋１，５００＝２，３４５ｃｍ
【００４４】  真空ポンプ４２を用いて真空弁２１ａ、２２ａより真空層３２，３３を−０，７気圧の真空度に設定する。
《作用》
真空タンク７の水は上昇管１３より真空層３２，３３に真空引きされる。
真空タンク８に揚水した水は降水管１４より水の重さで降水する。真空引きする水は給水弁１ａより補給される。
▲１▼、真空タンク７の水が真空タンク８の真空層３２，３３に揚水する高さは
２３４５−（−０，８）ー（−０，７）ｘ１０３３，６ｇ＋１，５００
＝２２４２ｃｍ
▲２▼、真空タンク８の真空水が水の重さで下降して自由水になる水位は
２２４２−（−０，７）ｘ１０３３，６ｇ＝１５１９ｃｍ
開閉弁９ａを閉じているので降水管１４の水は加圧水槽３には流れない。
《作用》
真空タンク８に所定の水が真空引きすると開閉弁６ａが閉じて給水は停止する、開閉弁６ａを閉めて、真空弁２３ａより給水層４の上部をー０，１気圧の真空度にして開閉弁７ａを開放して給水弁１ａを閉じる。貯水槽１には真空引きする空間があるので加圧水槽２の水は上昇管１１より貯水槽１に真空引きされて加圧水槽２の真空作用点は下降する。
《加圧水槽２の水面に作用する給水層４の水頭圧は》
▲１▼，給水層４の水位は
１６００（自由水）＋（−０，１）ｘ１０３３、６ｇ（真空水）＝１７０３ｃｍ
▲２▼，加圧水槽２の真空作用点
２１８０−（−０，７）ｘ１０３３，６ｇ＝１４５７ｃｍ
▲３▼，給水層４の水が加圧水槽２に流れる水量は
１６００−１４５７−（−０，１）ｘ１０３３，６ｇ＝４０ｃｍ
４０ｘ２，５ｘ２，５ｘ３，１４÷４＝１９６ｇ
▲４▼，加圧水槽４の水面に作用する給水層４の水頭圧は
１７０３（自由水＋真空水）−４０＝１６６３ｃｍ
《加圧水槽２の作用》
▲１▼、真空層３５に真空引きされる水量は
２２２３−２１８０＝４３ｃｍ
４３ｘ１２，５ｘ１２，５ｘ３，１４÷４＝５２７４ｇ
▲２▼，加圧水槽２の真空作用点は
１５００−４３＝１４５７ｃｍ
▲３▼，真空層３５に真空引きする真空水の水位は
６６０＋４３＋５２７４ｇ÷４２１，７＋１４５７＝２１７２、５ｃｍ、
▲４▼，真空層３５の水が真空タンク７，８に揚水して真空層３５の水位は
２１７２，５−１４５７＝７１５．５ｃｍ
４２１，７＋２４０，６＋３８３，１＝１０４５，５
７１５，５−６６０ｘ４２１，６＝２３，４０４ｇ
２３，４０４ｇ÷１０４５，５＝２２，３ｃｍ
真空層３５の真空水の水位は
７１５，５−２２，３−２２，３＝６７０，９ｃｍ
基準水位は
６７０＋１４５７＝２１２７ｃｍ
▲５▼，真空タンク７に真空引きする水位は
−０，７ｘ１０３３，６ｇ−６７０−６７０＝６１７ｃｍ
基準水位は
６１７＋２４８＋１４５７＝２３２２ｍ
▲６▼，真空タンク８に真空引きする水位は
２３２２−（−０，８）ー（−０，７）＝２２１９ｃｍ
▲７▼，真空タンク８の水が降水管１４を下降して自由水になる水位は
２２１９−（−０，７）ｘ１０３３，６＝１４９６ｃｍ
【００４５】  給水層５の水が連通管１８より加圧水槽３より上昇管１５と水槽６に給水層５に１７ｍまで給水している。加圧弁１３ａ、大気弁１６ａを閉じて、加圧弁１２ａより加圧水槽３に＋０，２気圧の窒素ガスを供給する。真空弁２０ａより真空層３６をー０，５気圧の真空度に設定して加圧水槽３の水を上昇管１５より真空層３６に真空引きさせる。揚水する水は給水弁２ａより補給する。
《作用１》
給水弁２ａの出口側に設けたフロート弁で給水層５の水位は１７ｍの範囲に制御される。給水層５の水は連通管１８より加圧水槽３に移動して水槽６と上昇管１に流れて水位は１７ｍになっている。給水層５の水頭圧で加圧水槽に封入した窒素ガスに伝達している。真空層３６の真空作用で封入した窒素ガスは給水層５の水頭圧で内部管２８内に移動させて給水層５の水は加圧水槽３に流れて加圧水槽３の水面に作用する気圧と真空層３６の真空作用で加圧水槽３の水は上昇管１５より真空層３６に真空引きされる。
▲１▼，給水層５の水頭圧が加圧水槽３の水面に作用して加圧水槽３の真空作用点は
１，７００（自由水）−２００（封入ガス量）＝１，５００（真空作用点）
▲２▼，真空層３６に真空引きする能力は
−０，５ｘ１０３３，６ｇ＋１，５００＝２０１６ｃｍ
水槽６に設けた検知器４ｂの作動で水槽６に真空引きする水位を制御される。
▲３▼，水槽６の制御水位は
１，５００＋３００＝１，８００ｃｍ
開閉弁１０ａが閉じて給水は停止する。
▲４▼、上昇管１５より溢れる水位は
１，５００＋３５０＝１８５０ｃｍ
▲５▼，真空引きする空間は
２０１６−１８５０＝１６６ｃｍ
《作用》
所定の水が真空層３６に真空引きされると開閉弁１０ａが閉じて給水は停止する。真空弁２４ａより給水層５をー０，２気圧の真空度に設定して給水弁２ａを閉じて開閉弁１１ａを開放して給水層５の水頭圧を加圧水槽３に伝達させて水槽６の真空引きする空間に加圧水槽３の水を上昇管１５より真空層３６に真空引きさせる。
《加圧水槽３の水面に作用する給水層５の水頭圧は》
▲１▼，給水層５の水位は
１７００（自由水）＋（−０，２）ｘ１０３３，６ｇ＝１９０６ｃｍ
▲２▼，加圧水槽３の真空作用点は
１８５０−（−０，５）ｘ１０３３，６ｇ＝１３３４ｃｍ
▲３▼，給水層５の水が加圧水槽３に流れる水量は
１７００−１３３４−（−０，２）ｘ１０３３，６ｇ＝１６０ｃｍ
１６０ｘ２，５ｘ２，５ｘ３，１４÷４＝７８５ｇ
▲４▼，加圧水槽３の水面に作用する給水層５の水頭圧は
１９０６（自由水＋真空水）−１６０＝１７４６ｃｍ
▲５▼，水槽６に真空引きする水位は
３００＋１６６＋１６６ｘ１２２，６÷７２４，１＝４９４，１ｃｍ
基準水位は
１３３４＋４９４＝１８２８ｃｍ
《給水層５の作用》
給水層５の上部をー０，２気圧の真空度に設定すると加圧水槽３に封入したガスは水温により膨張、収縮して水位が変化しても水頭圧の変化を防止している。加圧水槽３の水面に作用する気圧と真空層３６の真空作用で加圧水槽３の水は上昇管１５より真空層３６に真空引きされる。図１は準備段階の水位を示している。
【００４６】  真空設定後、開閉弁、３ａ，４ａ，９ａを開放して装置内の水を循環させる。
《作用１》
開閉弁７ａの開放すると給水層４の水頭圧は加圧水槽２に供給した窒素ガスに均圧管２７より伝達している。水槽６の水頭圧は水導入管１０に作用して加圧水槽２に供給した封入した窒素ガスを伝達している。加圧水槽２の水面に作用する気圧と貯水槽１の真空作用で加圧水槽２の水は上昇管１１より貯水槽１に揚水する。
《給水層４の作用》
給水層４の水面を真空設定する事により水温による封入ガスの膨張と収縮で水位が変化しても給水層４，水頭圧の変化を防止している。加圧水槽２の水面に作用する気圧と真空作用で加圧水槽２の水は上昇管１１より真空層３５に真空引きされる。
《作用》
開閉弁３ａ，４ａ、を開放する。
▲１▼，真空層３６の水頭圧で水導入管１０に作用する気圧は
水車の位置を１５０ｃｍとする。
５１６−４９４−４９４＋１３３４＝１８０６ｃｍ
１８０６−１５０＝１６５６ｃｍ
▲２▼，水槽６の水が水導入管１０より加圧水槽３に流れる水量は、抵抗を３０％とする。
１６５６−１４５７＝１９９
√１９９ｘ２ｘ９８０＝６２４ｃｍ
６２４ｘ４ｘ４ｘ３，１４÷４ｘ（１ー３０％）＝５４８６ｇ／ｓ
▲３▼，水導入管１０の水が加圧水槽２に流れて真空作用点の上昇高さは
流入と流出で水位の上昇を／２とする。
５４８６ｇ÷（１２，５ｘ１２，５ｘ３，１４÷４）÷２＝２２，３ｃｍ
▲４▼，加圧水槽２の真空作用点の上昇で真空タンク７，８には真空作用が発生して真空層３５の水は真空タンク７，８に揚水する。
《作用》
開閉弁１０ａを閉じて給水層５の上部を−０，２気圧の真空度に設定して真空層５の上部に真空水を揚水させて開閉弁１１ａを開放して給水弁２ａを閉じる。給水層５の水頭圧は加圧水槽３に封入した窒素ガスに伝達している。加圧水槽３の水面に作用する気圧と水槽６の真空作用で加圧水槽３の水は上昇管１５より水槽６に真空引きされる。開閉弁９ａを開放すると真空タンク８の水は降水管１４より水の重さで加圧水槽３に降水する。
この作用で真空タンク８，７は順次真空作用が発生する。
《作用》
各、配管に流れる能力は
▲１▼、上昇管１１に流れる能力は
−０，７ｘ１０３３，６ｇｘ４ｘ４ｘ３，１４÷４＝９、０８７ｇ／ｓ
▲２▼，上昇管１２に流れる能力は
−０，８ｘ１０３３，６ｇｘ４ｘ４ｘ３，１４÷４
＝１０，３８６ｇ／ｓ
▲３▼、上昇管１３に流れる能力は
−０，７ｘ１０３３，６ｇｘ３，２５ｘ３，２５ｘ３，１４÷４ｘ２
＝１１，９９８ｇ／ｓ
▲４▼，上昇管１５に流れる能力は
−０，５ｘ１０３３，６ｇｘ５ｘ５ｘ３，１４÷４＝１０、１４２ｇ／ｓ
図２は条件設定時の水位を示している。
【００４７】  開閉弁３ａ、４ａを開放すると真空層３６の水頭圧で真空層３６の水は水導入管１０より加圧水槽２に流れて真空作用点が上昇して加圧水槽２の水は上昇管１１より真空層３５に真空引きされる。
▲１▼，水導入管１０より加圧水槽２に流れて加圧水槽２の水位は
５４８６ｇ÷（１２，５ｘ１２，５ｘ３，１４÷４）＝４４，７ｃｍ上昇する。
▲２▼，加圧水槽２の真空作用点の上昇は（水位の上昇は流入と流出の１／２とする）
１４５７＋（４４，７÷２）＝１４７９，３ｃｍ
加圧水槽２の真空作用点が１４５７ｃｍから１４７９ｃｍに上昇すると加圧水槽２水は上昇管１１より真空層３５に真空引きされる。この作用で真空タンク７，８は順次真空作用が発生して真空層３５の水は真空タンク７，８に揚水する。
▲３▼，真空層３５に揚水する真空水の高さは
５４８６ｇ÷（４２１，７＋２４０，６＋３８３，１）＝５，２ｃｍ
６７０＋５，２＋１４７９＝２１５４ｃｍ
▲４▼，真空タンク７に揚水する高さは
６７０＋５，２＝６７５，２ｃｍ
７２３−６７５−６７５＝６２７ｃｍ
６２７＋２４８＋１４７９＝２３５４ｃｍ
▲５▼，真空タンク８に揚水する高さは
２３５４−（−０，８）ー（−０，７）＝２２５１ｃｍ
▲６▼，真空タンク８の水が降水管１４を下降して自由水になる位置は
２２５１−（−０，７）ｘ１０３３，６ｇ＝１５２８ｃｍ
開閉弁９ａを開放すると真空タンク８の水は真空作用点の下がった加圧水槽３に流れて加圧水槽３の水位は上昇する。この作用で真空作用点が上昇して加圧水槽３の水は上昇管１５より水槽６に真空引きされる。
▲７▼，真空タンク８の水が５４８６ｇの水が降水管１４を下降して加圧水槽３に流れて
加圧水槽３の水位の上昇は
５４８６ｇ÷（１２，５ｘ１２，５ｘ３，１４÷４）÷２＝２２，３ｃｍ
４＋２２，３＝１３５６，３ｃｍ
▲８▼，真空タンク８の水が降水管１４より加圧水槽３に下降する能力は
１５２８−１３５６＝１７２ｃｍ
√１７２ｘ２ｘ９８０＝５８０ｃｍ
５８０ｘ５ｘ５ｘ３，１４÷４＝１１，３８２ｇ／ｓ
▲９▼，加圧水槽３の水が上昇管１５より真空層３６に揚水する能力は
−０，５ｘ１０３３，６ｇｘ５ｘ５ｘ３，１４÷４＝１０，１４２ｇ
《作用》
上記、説明の様に条件設定をして開閉弁３ａ，４ａ，９ａ、を開放すると真空層３５と真空層３６の水面には真空引きする空間が存在するので真空層３６の水頭圧で真空層３６の水は水導入管１０より加圧水槽２に流れて真空作用点が２２ｃｍ上昇する。この作用で加圧水槽２の水は上昇管１１より真空層３５に揚水する。真空タンク７，８には順次真空作用が発生して真空層３５の水は真空タンク７，８に揚水する。開閉弁９ａを開放すると真空タンク８の真空水は降水管１４を降水して真空作用点１３３４ｃｍに下がった加圧水槽３に降水する。この作用で加圧水槽３の真空作用点は２２ｃｍ上昇して加圧水槽３の水は上昇管１５より真空層３６に揚水する。動力を使用しないで連続的に真空層８，７は真空作用が発生して装置内の水は循環する。水導入管１０内に水車３９を設けて定常流で循環する水量と水槽６の水頭圧を利用して発電を行う。
図３は循環時の水位と循環方向を示している。
【００４８】  図１、図２、図３の実施形態の具体的な寸法に基づいて試験的に一週間の連続運転を行った水の循環は途絶えることなく装置内の水は図３の矢印のように連続的に循環することができた。これによって初期動力だけで、即ち、加圧器と真空ポンプを起動する事だけでその後は動力なしで連続的に循環させることを実証した。
【００４９】  密閉水路で水を循環させるので発電を目的とした装置になる。装置に熱交換器を組み込み、発電した電力で装置に冷熱を供給して、冷熱を熱交換器とポンプで取り出して、冷暖房、クリーンルームなどの廃熱処理に使用することができる。密閉水路で行うと装置内にゴミの侵入を防ぐと共に、蒸発による水量管理を省く事ができる。
尚、数日間連続運転をしている間に配管部や弁などからエアー漏れによって真空度が下がった場合には、真空低下した真空弁を開放して真空ポンプを起動して設定する真空度まで真空引きすれば良い。
【００５０】  上記、水の循環装置を冬季の気温の低い環境下で使用する場合、循環する水の凍結を防ぐ為に、装置を保温カバーで覆ったり、建物や地下に設けて凍結を防止したり、凍結剤を入れて、凍結を防ぐ手段を講じる必要がある。オゾンを供給して水中の雑菌の繁殖を抑えることもできる。供給する空気に代えて窒素を封入することにより、水中の酸素を減少させることもできる。更には定期的に水を入れ替える事もよい、循環する水を油に代えて凍結を防止する事もできる。装置を建物内や地下に設けた場合、発電用の羽根車の摩擦熱で４０〜４５℃に水温が上昇するので換気による温度管理が必要になる。
【００５１】  以上の説明のように動力なしで水を循環させる本装置を発電に利用した場合には地形を利用して発電する方法に比べて調査、設計、工事費、送電設備、など様々な経費を大幅に省くことができる。
【００５２】  請求項１に係る、本発明の水循環装置を発電に利用すれば初期設定後は動力なしで水を循環させることができるので、動力部がないので静かであり、水を放水する必要がないので環境問題も発生しない。循環水量は装置の大きさで得られ、水頭圧は装置の高さで決まる。
【産業上の利用可能性】
【００５３】  自然の地形を利用して発電する風力発電、マイクロ発電のように設置場所を限定することなく、日々の環境変化で風力発電、太陽発電、マイクロ発電のように発電量が変化することもない。電力の必要な場所に、地上・地下に関係なく設置ができる。売電をしなければ送電設備も必要としない。２４時間安定した発電ができる。発電による炭酸ガスの発生がないので地球温暖化ガスの一つである炭酸ガスの削減に貢献することができる。【００５４】  電力は産業の基盤であるから様々な分野に利用することができる。近年では高精度の部品を生産にするに伴って、高温炉、高温真空炉等で電気ヒーターによる高精度の制御を行って生産を行っている。例えば、発電をした電力で水の電気分解で得られる酸素と水素を、燃料として利用すれば燃料の生産ができる。過熱蒸気での水分除去、乾燥、熱分解など様々な分野に利用ができる。高温焼却炉で使用する石油類に代えて、電気分解で得られる酸素と水素を燃料とすれば燃焼による炭酸ガスの発生もなく、石油類の備蓄も必要としなくなる。
【図面の簡単な説明】
【００５５】
【図１】実施形態の装置の調整段階の図
【図２】実施形態の装置の条件設定時の図
【図３】実施形態の装置の運転状態の図
【符号の説明】
【００５６】貯水槽        １
加圧水槽      ２，３
給水糟        ４、５
水槽          ６
真空タンク    ７，８
連通管        ９、１３，１７，１８，１９，２０
均圧管        ２７，２９
水導入管      １０
上昇管        １１，１２，１３，１５
降水管        １４、
仕切板        ２１，２２、
内部管        ２３，２４，２５，２７，２８
真空層        ３０，３１，３２，３３，３５，３６
加圧層        ３４，３７，３８
水車          ３９
加圧給水器    ４０
加圧器        ４１
真空ポンプ    ４２
給水弁        １ａ、２ａ、
開閉弁        ３ａ、４ａ、５ａ、６ａ、７ａ，９ａ，１０ａ、１１ａ，１３ａ、
加圧弁        ８ａ、１２ａ，１４ａ、
大気弁        １５ａ，１６ａ、
真空弁        １６ａ，１７ａ，１８ａ，１９ａ，２０ａ，２１ａ，２２ａ、２３ａ，２４ａ
検知器        １ｂ、２ｂ、３ｂ、４ｂ、
【図１】
2007247637.tif 000003
【図２】
2007247637.tif 000004
【図３】
2007247637.tif 000005